(57)【要約】【目的】  本発明の目的は、部品点数の低減を図ることができるバーベキューグリルを提供する。【構成】  バーベキューグリルＧは、フレーム１００ａ、１００ｂと、支持脚２００ａ、２００ｂとを備えている。フレーム１００ａ、１００ｂのフレーム本体１１０ａ、１１０ｂはＹ−Ｙ’方向に延びた筒である。支持脚２００ａの第１脚部２１０ａは、フレーム本体１１０ａの第１端部の内面上のリブ１２２ａ、１３２ａに固定されている。支持脚２００ａの第２脚部２２０ａは、フレーム本体１１０ｂの第１端部の内面上のリブ１２２ｂ、１３２ｂに固定されている。支持脚２００ｂの第１脚部２１０ｂは、フレーム本体１１０ａの第２端部の内面上のリブ１２３ａ、１３３ａに固定されている。支持脚２００ｂの第２脚部２２０ｂは、フレーム本体１１０ｂの第２端部の内面上のリブ１２３ｂ、１３３ｂに固定されている。【選択図】      図１Ｂ
2016049181.tif 000002
【特許請求の範囲】
【請求項１】
第１方向において互いに間隔をあけて対向する第１、第２フレームと、
第１、第２支持脚とを備えており、
前記第１、第２フレームは、前記第１方向に交差する第２方向に延びた筒であるフレーム本体と、
前記フレーム本体の前記第２方向の第１端部の内面又は外面上に設けられた第１リブと、
前記フレーム本体の前記第２方向の第１端部の内面又は外面上に設けられた第２リブと、
前記フレーム本体の前記第１端部の反対側の第２端部の内面又は外面上に設けられた第３リブと、
前記フレーム本体の前記第１端部の反対側の第２端部の内面又は外面上に設けられた第４リブとを有しており、
前記第１支持脚は、前記第１フレームの前記第１リブ及び前記第２リブに固定された第１脚部と、
前記第２フレームの前記第１リブ及び前記第２リブに固定された第２脚部と、
前記第１脚部と前記第２脚部とを連結する連結部とを有しており、
前記第２支持脚は、前記第１フレームの前記第３リブ及び前記第４リブに固定された第１脚部と、
前記第２フレームの前記第３リブ及び前記第４リブに固定された第２脚部と、
当該第２支持脚の前記第１脚部と前記第２脚部とを連結する連結部とを有しているバーベキューグリル。
【請求項２】
請求項１記載のバーベキューグリルにおいて、
前記フレーム本体は、多角形状の筒であって、第１、第２角を更に有しており、
前記第１リブが前記フレーム本体の前記第１角の前記第２方向の第１端部の内面又は外面上に設けられており、
前記第２リブが前記フレーム本体の前記第２角の前記第２方向の第１端部の内面又は外面上に設けられており、
前記第３リブが前記フレーム本体の前記第１角の前記第１端部の反対側の第２端部の内面又は外面上に設けられており、
前記第４リブが前記フレーム本体の前記第２角の前記第１端部の反対側の第２端部の内面又は外面上に設けられているバーベキューグリル。
【請求項３】
請求項１記載のバーベキューグリルにおいて、
前記第１、第２フレームは、第１、第２長尺リブを有しており、
前記第１長尺リブは、前記第１、第２フレームの前記フレーム本体の内面又は外面上に設けられており且つ当該内面又は外面の前記第２方向の一端から他端にかけて前記第２方向に延びており、
前記第２長尺リブは、前記第１、第２フレームの前記フレーム本体の内面又は外面上に設けられており且つ当該内面又は外面の前記第２方向の一端から他端にかけて前記第２方向に延びており、
前記第１リブが、前記第１長尺リブの前記第２方向の第１端部であり、
前記第３リブが  前記第１長尺リブの前記第１端部の反対側の第２端部であり、
前記第２リブが、前記第２長尺リブの前記第２方向の第１端部であり、
前記第４リブが、前記第２長尺リブの前記第１端部の反対側の第２端部であるバーベキューグリル。
【請求項４】
請求項３記載のバーベキューグリルにおいて、
前記フレーム本体は、多角形状の筒であって、第１、第２角を更に有しており、
前記第１長尺リブが前記フレーム本体の前記第１角の内面又は外面上に設けられており、
前記第２長尺リブが前記フレーム本体の前記第２角の内面又は外面上に設けられているバーベキューグリル。
【請求項５】
請求項１記載のバーベキューグリルにおいて、
前記第１、第２フレームは、第３、第４長尺リブを有しており、
前記第３長尺リブは、前記フレーム本体の前記第１端部の内面又は外面上に設けられており且つ当該フレーム本体の周方向に延びており、
前記第４長尺リブは、前記フレーム本体の前記第２端部の内面又は外面上に設けられており且つ当該フレーム本体の周方向に延びており、
前記第１リブが、前記第３長尺リブの長さ方向の第１端部であり、
前記第２リブが、前記第３長尺リブの前記第１端部の反対側の第２端部であり、
前記第３リブが、前記第４長尺リブの長さ方向の第１端部であり、
前記第４リブが、前記第４長尺リブの前記第１端部の反対側の第２端部であるバーベキューグリル。
【請求項６】
請求項１〜５の何れかに記載のバーベキューグリルにおいて、
前記第１〜第４リブは、前記第２方向に延びるネジ孔を有しており、
前記バーベキューグリルは、前記第１支持脚の前記第１脚部を貫通して前記第１フレームの前記第１リブのネジ孔にネジ止めされたネジである第１固定部と、
前記第１支持脚の前記第１脚部を貫通して前記第１フレームの前記第２リブのネジ孔にネジ止めされたネジである第２固定部と、
前記第１支持脚の前記第２脚部を貫通して前記第２フレームの前記第１リブのネジ孔にネジ止めされたネジである第３固定部と、
前記第１支持脚の前記第２脚部を貫通して前記第２フレームの前記第２リブのネジ孔にネジ止めされたネジである第４固定部と、
前記第２支持脚の前記第１脚部を貫通して前記第１フレームの前記第３リブのネジ孔にネジ止めされたネジである第５固定部と、
前記第２支持脚の前記第１脚部を貫通して前記第１フレームの前記第４リブのネジ孔にネジ止めされたネジである第６固定部と、
前記第２支持脚の前記第２脚部を貫通して前記第２フレームの前記第３リブのネジ孔にネジ止めされたネジである第７固定部と、
前記第２支持脚の前記第２脚部を貫通して前記第２フレームの前記第４リブのネジ孔にネジ止めされたネジである第７固定部とを更に備えているバーベキューグリル。
【請求項７】
請求項１〜５の何れかに記載のバーベキューグリルにおいて、
前記第１〜第４リブは、前記第２方向に延びる係合孔を有しており、
前記バーベキューグリルは、前記第１支持脚の前記第１脚部を貫通して前記第１フレームの前記第１リブの係合孔に係合されたピンである第１固定部と、
前記第１支持脚の前記第１脚部を貫通して前記第１フレームの前記第２リブの係合孔に係合されたピンである第２固定部と、
前記第１支持脚の前記第２脚部を貫通して前記第２フレームの前記第１リブの係合孔に係合されたピンである第３固定部と、
前記第１支持脚の前記第２脚部を貫通して前記第２フレームの前記第２リブの係合孔に係合されたピンである第４固定部と、
前記第２支持脚の前記第１脚部を貫通して前記第１フレームの前記第３リブの係合孔に係合されたピンである第５固定部と、
前記第２支持脚の前記第１脚部を貫通して前記第１フレームの前記第４リブの係合孔に係合されたピンである第６固定部と、
前記第２支持脚の前記第２脚部を貫通して前記第２フレームの前記第３リブの係合孔に係合されたピンである第７固定部と、
前記第２支持脚の前記第２脚部を貫通して前記第２フレームの前記第４リブの係合孔に係合されたピンである第８固定部とを更に備えているバーベキューグリル。
【請求項８】
請求項１〜７の何れかに記載のバーベキューグリルにおいて、
前記第１、第２フレーム及び前記第１、第２支持脚の少なくとも一方に支持される火床を更に備えているバーベキューグリル。
【請求項９】
請求項７記載のバーベキューグリルにおいて、
前記第１フレームは、当該第１フレームの前記フレーム本体から前記第２フレームの前記フレーム本体側に延びる第１鍔部を更に有しており、
前記第２フレームは、当該第２フレームの前記フレーム本体から前記第１フレームの前記フレーム本体側に延びる第１鍔部を更に有しており、
前記火床は、前記第１フレームの前記第１鍔部と前記第２フレームの前記第１鍔部とに懸架されているバーベキューグリル。
【請求項１０】
請求項９記載のバーベキューグリルにおいて、
前記第１鍔部は前記第２方向に延びる長尺状の板であり、
前記火床は、前記第１フレームの前記第１鍔部及び前記第２フレームの前記第１鍔部上で、前記第２方向に移動自在であるバーベキューグリル。
【請求項１１】
請求項１〜１０の何れかに記載のバーベキューグリルにおいて、
前記第１、第２フレーム及び前記第１、第２支持脚の少なくとも一方に支持される鉄板又は焼き網を更に備えているバーベキューグリル。
【発明の詳細な説明】
【技術分野】
【０００１】
本発明は、バーベキューグリルに関する。
【背景技術】
【０００２】
従来のバーベキューグリルが下記特許文献１に記載されている。この従来のバーベキューグリルは、下向き略Ｕ字状の第１、第２支持脚と、第１、第２横パイプと、第１、第２プレートと、火床とを備えている。第１、第２支持脚は、当該バーベキューグリルの長手方向において互いに対向するように配置されている。第１、第２支持脚の上端部は、当該バーベキューグリルの端手方向の第１、第２端部を有している。火床は、第１、第２支持脚の上端部に懸架されている。
【０００３】
第１プレートの長手方向の第１端が第１支持脚の上端部の第１端部に外側から取り付けられ、第１プレートの長手方向の第２端が第２支持脚の上端部の第１端部に外側から取り付けられている。第２プレートの長手方向の第１端が第１支持脚の上端部の第２端部に外側から取り付けられ、第２プレートの長手方向の第２端が第２支持脚の上端部の第２端部に外側から取り付けられている。第１、第２プレートが火床の側面に間隙を有して配置され、バーベキューグリルの使用者が火床に触れるのを防止している。
【０００４】
第１横パイプの長手方向の第１端が第１支持脚の上端部の第１端部に内側から取り付けられ、第１横パイプの長手方向の第２端が第２支持脚の上端部の第１端部に内側から取り付けられている。第２横パイプの長手方向の第１端が第１支持脚の上端部の第２端部に内側から取り付けられ、第２横パイプの長手方向の第２端が第２支持脚の上端部の第２端部に内側から取り付けられている。このように第１、第２横パイプが第１、第２支持脚を連結することによって、第１、第２プレートの捩じれを防止している。
【先行技術文献】
【特許文献】
【０００５】
【特許文献１】特開２００９−２８７９１９号公報
【発明の概要】
【発明が解決しようとする課題】
【０００６】
上記の通り、従来のバーベキューグリルは、第１、第２支持脚、第１、第２横パイプ及び第１、第２プレートが必須であるため、部品点数が多い。
【０００７】
本発明は、上記事情に鑑みて創案されたものであって、その目的とするところは、部品点数の低減を図ることができるバーベキューグリルを提供することにある。
【課題を解決するための手段】
【０００８】
上記課題を解決するために、本発明のバーベキューグリルは、第１、第２フレームと、第１、第２支持脚とを備えている。第１、第２フレームは、第１方向において互いに間隔をあけて対向している。第１、第２フレームは、フレーム本体と、第１、第２リブと、第３、第４リブとを有している。フレーム本体は、第１方向に交差する第２方向に延びた筒である。第１リブは、フレーム本体の第２方向の第１端部の内面又は外面上に設けられている。第２リブは、フレーム本体の第２方向の第１端部の内面又は外面上に設けられている。第３リブは、フレーム本体の第１端部の反対側の第２端部の内面又は外面上に設けられている。第４リブは、フレーム本体の第１端部の反対側の第２端部の内面又は外面上に設けられている。第１支持脚は、第１、第２脚部と、連結部とを有している。第１支持脚の第１脚部は、第１フレームの第１、第２リブに固定されている。第１支持脚の第２脚部は、第２フレームの第１、第２リブに固定されている。第１支持脚の連結部は、第１支持脚の第１、第２脚部を連結している。第２支持脚は、第１、第２脚部と、連結部とを有している。第２支持脚の第１脚部は、第１フレームの第３、第４リブに固定されている。第２支持脚の第２脚部は、第２フレームの第３、第４リブに固定されている。第２支持脚の連結部は、第２支持脚の第１、第２脚部を連結している。
【０００９】
このような態様のバーベキューグリルは、以下の技術的特徴及び効果を有する。第１に、バーベキューグリルの部品点数の低減を図ることができる。第１、第２支持脚が、少なくとも第１、第２フレームで連結される構成とすることが可能である。第２に、第１、第２フレームのみで第１、第２支持脚を連結したとしても、第１、第２フレームに歪みが生じ難い。なぜなら、第１、第２フレームのフレーム本体が筒であるからである。第３に、第１、第２フレームの断熱効果を向上させることができる。第１、第２フレームのフレーム本体が筒であり、内部に空気層を有しているからである。第４に、バーベキューグリルの重量の増加を抑制することができる。第１、第２フレームが筒であるフレーム本体の内面又は外面に第１〜第４リブが設けられた構成であるからである。
【００１０】
フレーム本体は、多角形状の筒であって、第１、第２角を更に有する構成とすることが可能である。第１リブは、フレーム本体の第１角の第２方向の第１端部の内面又は外面上に設けられた構成とすることが可能である。第２リブは、フレーム本体の第２角の第２方向の第１端部の内面又は外面上に設けられた構成とすることが可能である。第３リブは、フレーム本体の第１角の第１端部の反対側の第２端部の内面又は外面上に設けられた構成とすることが可能である。第４リブは、フレーム本体の第２角の第１端部の反対側の第２端部の内面又は外面上に設けられた構成とすることが可能である。
【００１１】
このような態様のバーベキューグリルは、更に第１、第２フレームに歪みが生じ難くなる。その理由は以下の通りである。第１、第２リブがフレーム本体の第１、第２角の第１端部の内面又は外面上に設けられることによって、当該第１、第２リブがフレーム本体を補強している。第３、第４リブがフレーム本体の第１、第２角の第２端部の内面又は外面上に設けられることによって、当該第３、第４リブがフレーム本体を補強している。
【００１２】
第１、第２フレームは、第１、第２長尺リブを有する構成とすることが可能である。第１長尺リブは、第１、第２フレームのフレーム本体の内面又は外面上に設けられており且つ当該内面又は外面の前記第２方向の一端から他端にかけて前記第２方向に延びている構成とすることが可能である。第２長尺リブは、第１、第２フレームのフレーム本体の内面又は外面上に設けられており且つ当該内面又は外面の前記第２方向の一端から他端にかけて前記第２方向に延びている構成とすることが可能である。第１リブは、第１長尺リブの第２方向の第１端部とすることが可能である。第３リブは、第１長尺リブの第１端部の反対側の第２端部とすることが可能である。第２リブは、第２長尺リブの第２方向の第１端部とすることが可能である。第４リブは、第２長尺リブの第１端部の反対側の第２端部とすることが可能である。
【００１３】
このような態様のバーベキューグリルは、更に第１、第２フレームに歪みが生じ難くなる。第１、第２長尺リブがフレーム本体を補強しているからである。
【００１４】
第１長尺リブがフレーム本体の第１角の内面又は外面上に設けられた構成とすることが可能である。第２長尺リブがフレーム本体の第２角の内面又は外面上に設けられた構成とすることが可能である。
【００１５】
このような態様のバーベキューグリルは、更に第１、第２フレームに歪みが生じ難くなる。第１、第２長尺リブがフレーム本体の第１、第２角の内面又は外面上に設けられ、当該フレーム本体を補強しているからである。
【００１６】
又は、第１、第２フレームは、第３、第４長尺リブを有する構成とすることが可能である。第３長尺リブは、フレーム本体の第１端部の内面又は外面上に設けられており且つ当該フレーム本体の周方向に延びた構成とすることが可能である。第４長尺リブは、フレーム本体の第２端部の内面又は外面上に設けられており且つ当該フレーム本体の周方向に延びた構成とすることが可能である。第１リブは、第３長尺リブの長さ方向の第１端部とすることが可能である。第２リブは  第３長尺リブの第１端部の反対側の第２端部とすることが可能である。第３リブは、第４長尺リブの長さ方向の第１端部とすることが可能である。第４リブは、第４長尺リブの第１端部の反対側の第２端部とすることが可能である。
【００１７】
上記した何れかの態様のバーベキューグリルは、第１〜第８固定部を更に備えた構成とすることが可能である。第１〜第４リブは、第２方向に延びるネジ孔を有する構成とすることが可能である。この場合、第１固定部は、第１支持脚の第１脚部を貫通して第１フレームの第１リブのネジ孔にネジ止めされたネジとすることが可能である。第２固定部は、第１支持脚の第１脚部を貫通して第１フレームの第２リブのネジ孔にネジ止めされたネジとすることが可能である。第３固定部は、第１支持脚の第２脚部を貫通して第２フレームの第１リブのネジ孔にネジ止めされたネジとすることが可能である。第４固定部は、第１支持脚の第２脚部を貫通して第２フレームの第２リブのネジ孔にネジ止めされたネジとすることが可能である。第５固定部は、第２支持脚の第１脚部を貫通して第１フレームの第３リブのネジ孔にネジ止めされたネジとすることが可能である。第６固定部は、第２支持脚の第１脚部を貫通して第１フレームの第４リブのネジ孔にネジ止めされたネジとすることが可能である。第７固定部は、第２支持脚の第２脚部を貫通して第２フレームの第３リブのネジ孔にネジ止めされたネジとすることが可能である。第８固定部は、第２支持脚の第２脚部を貫通して第２フレームの第４リブのネジ孔にネジ止めされたネジとすることが可能である。
【００１８】
又は、第１〜第４リブは、第２方向に延びる係合孔を有する構成とすることが可能である。この場合、第１固定部は、第１支持脚の第１脚部を貫通して第１フレームの第１リブの係合孔に係合されたピンとすることが可能である。第２固定部は、第１支持脚の第１脚部を貫通して第１フレームの第２リブの係合孔に係合されたピンとすることが可能である。第３固定部は、第１支持脚の第２脚部を貫通して第２フレームの第１リブの係合孔に係合されたピンとすることが可能である。第４固定部は、第１支持脚の第２脚部を貫通して第２フレームの第２リブの係合孔に係合されたピンとすることが可能である。第５固定部は、第２支持脚の第１脚部を貫通して第１フレームの第３リブの係合孔に係合されたピンとすることが可能である。第６固定部は、第２支持脚の第１脚部を貫通して第１フレームの第４リブの係合孔に係合されたピンとすることが可能である。第７固定部は、第２支持脚の第２脚部を貫通して第２フレームの第３リブの係合孔に係合されたピンとすることが可能である。第８固定部は、第２支持脚の第２脚部を貫通して第２フレームの第４リブの係合孔に係合されたピンとすることが可能である。
【００１９】
上記何れかの態様のバーベキューグリルは、第１、第２フレーム及び第１、第２支持脚の少なくとも一方に支持される火床を更に備えた構成とすることが可能である。
【００２０】
第１フレームは、当該第１フレームのフレーム本体から第２フレームのフレーム本体側に延びる第１鍔部を更に有する構成とすることが可能である。第２フレームは、当該第２フレームのフレーム本体から第１フレームのフレーム本体側に延びる第１鍔部を更に有する構成とすることが可能である。火床は、第１フレームの第１鍔部と第２フレームの第１鍔部とに懸架された構成とすることが可能である。
【００２１】
第１鍔部は第２方向に延びる長尺状の板とすることが可能である。火床は、第１フレームの第１鍔部及び第２フレームの第１鍔部上で、第２方向に移動自在な構成とすることが可能である。このような態様のバーベキューグリルは、火床を第２方向に移動させて、第１、第２フレームの間から引き出すことができるので、使い勝手が向上する。
【００２２】
上記何れかの態様のバーベキューグリルは、第１、第２フレーム及び第１、第２支持脚の少なくとも一方に支持される鉄板又は焼き網を更に備えた構成とすることが可能である。
【図面の簡単な説明】
【００２３】
【図１Ａ】本発明の実施例に係るバーベキューグリルの正面、平面及び右側面から表した斜視図である。
【図１Ｂ】前記バーベキューグリルのフレーム及び支持脚の正面、平面及び右側面から表した斜視図である。
【図２】前記バーベキューグリルのフレーム及び支持脚の背面図である。
【図３】前記バーベキューグリルのフレーム及び支持脚の平面図である。
【図４】前記バーベキューグリルのフレーム及び支持脚の底面図である。
【図５】前記バーベキューグリルのフレーム及び支持脚の右側面図である。
【図６Ａ】前記バーベキューグリルの図１Ｂ中の６Ａ−６Ａ拡大断面図である。
【図６Ｂ】前記バーベキューグリルの図１Ｂ中の６Ｂ−６Ｂ拡大断面図である。
【図７Ａ】前記バーベキューグリルの設計変更例の図６Ａに対応する拡大断面図である。
【図７Ｂ】前記設計変更例のバーベキューグリルの図６Ｂに対応する拡大断面図である。
【発明を実施するための形態】
【００２４】
以下、本発明の実施例に係るバーベキューグリルＧについて図１Ａ〜図６Ｂを参照しつつ説明する。バーベキューグリルＧは、第１フレーム１００ａと、第２フレーム１００ｂと、第１支持脚２００ａと、第２支持脚２００ｂと、第１固定部３００ａと、第２固定部３００ｂと、第３固定部３００ｃと、第４固定部３００ｄと、第５固定部３００ｅと、第６固定部３００ｆと、第７固定部３００ｇと、第８固定部３００ｈと、火床４００と、焼き網５００と、鉄板６００とを備えている。以下、バーベキューグリルＧの各構成要素について詳しく説明する。図１Ａ、図１Ｂ、図６Ａ及び図６Ｂ中のＸ−Ｘ’方向は、第１、第２フレーム１００ａ、１００ｂの端手方向であって、特許請求の範囲の第１方向に相当している。図１Ａ及び図１Ｂ中のＹ−Ｙ’方向は、第１、第２フレーム１００ａ、１００ｂの長手方向であって、特許請求の範囲の第２方向に相当している。図１Ａ、図１Ｂ、図６Ａ及び図６Ｂ中のＺ−Ｚ’方向は、第１、第２フレーム１００ａ、１００ｂの高さ方向である。Ｙ−Ｙ’方向はＸ−Ｘ’方向に直角に交差しており、Ｚ−Ｚ’方向はＹ−Ｙ’方向及びＸ−Ｘ’方向に直角に交差している。
【００２５】
第１、第２フレーム１００ａ、１００ｂは、図１Ａ〜図６Ｂに示されるようにアルミ等の金属で構成された筒である。第１、第２フレーム１００ａ、１００ｂはＸ−Ｘ’方向において対称形状である。第１、第２フレーム１００ａ、１００ｂはＸ−Ｘ’方向において互いに間隔をあけて対向している。
【００２６】
第１フレーム１００ａは、フレーム本体１１０ａと、第１長尺リブ１２０ａと、第２長尺リブ１３０ａと、第１鍔部１４０ａと、第２鍔部１５０ａとを有している。
【００２７】
フレーム本体１１０ａは、Ｙ−Ｙ’方向に延びた略三角形状の筒であって、アルミ等の金属で構成されている。フレーム本体１１０ａは、図６Ａ及び図６Ｂに最も良く示されているように、底板１１１ａと、外側板１１２ａと、内側板１１３ａと、第１角Ｒ１ａと、第２角Ｒ２ａと、第３角Ｒ３ａとを有している。底板１１１ａは、Ｙ−Ｙ’方向に延びた長方形の板であって、Ｘ方向の端と、Ｘ’方向の端とを有している。外側板１１２ａは、Ｙ−Ｙ’方向に延びる円弧状の板であって、Ｚ方向及びＸ’方向に湾曲している。外側板１１２ａは、下端と、上端とを有している。外側板１１２ａの下端が底板１１１ａのＸ方向の端に一体的に接続されている。内側板１１３ａは、Ｙ−Ｙ’方向に延びる円弧状の板であって、Ｚ方向及びＸ’方向に湾曲している。内側板１１３ａは、下端と、上端とを有している。内側板１１３ａの下端が底板１１１ａのＸ’方向の端に一体的に接続されている。外側板１１２ａの上端と内側板１１３ａの上端とが一体的に接続されている。
【００２８】
第１角Ｒ１ａは、フレーム本体１１０ａの外側板１１２ａと内側板１１３ａとが突き合わされた角である。第２角Ｒ２ａは、フレーム本体１１０ａの底板１１１ａと外側板１１２ａとが突き合わされた角である。第３角Ｒ３ａは、フレーム本体１１０ａの底板１１１ａと内側板１１３ａとが突き合わされた角である。第１角Ｒ１ａ〜Ｒ３のＹ−Ｙ’方向の寸法は、フレーム本体１１０ａのＹ−Ｙ’方向の寸法と同じである。
【００２９】
第１長尺リブ１２０ａは、フレーム本体１１０ａの第１角Ｒ１ａの内面上に設けられており且つ当該内面のＹ方向の端からＹ’方向の端にかけてＹ−Ｙ’方向に延びている。第１長尺リブ１２０ａのＹ−Ｙ’方向の寸法は、フレーム本体１１０ａのＹ−Ｙ’方向の寸法と同じである。第１長尺リブ１２０ａは、Ｘ−Ｘ’方向の断面において略Ｃ字状である。第１長尺リブ１２０ａには、当該第１長尺リブ１２０ａをＹ−Ｙ’方向に貫通する貫通孔１２１ａが設けられている。
【００３０】
第１長尺リブ１２０ａは、リブ１２２ａ（第１リブ）と、リブ１２３ａ（第３リブ）とを有している。リブ１２２ａは、第１長尺リブ１２０ａのＹ方向側の第１端部である。第１長尺リブ１２０ａの貫通孔１２１ａのＹ方向側の端部の内周面にネジ溝が形成されている。この貫通孔１２１ａのＹ方向側の端部がリブ１２２ａのネジ孔１２２ａ１となっている。ネジ孔１２２ａ１もＹ−Ｙ’方向に延びている。リブ１２３ａは、第１長尺リブ１２０ａのＹ’方向側の第２端部である。第１長尺リブ１２０ａの貫通孔１２１ａのＹ’方向側の端部の内周面にネジ溝が形成されている。この貫通孔１２１ａのＹ’方向側の端部がリブ１２３ａのネジ孔１２３ａ１となっている。ネジ孔１２３ａ１もＹ−Ｙ’方向に延びている。
【００３１】
第２長尺リブ１３０ａは、フレーム本体１１０ａの第２角Ｒ２ａの内面上に設けられており且つ当該内面のＹ方向の端からＹ’方向の端にかけてＹ−Ｙ’方向に延びている。このように第２長尺リブ１３０ａは、フレーム本体１１０ａの内面上の第１長尺リブ１２０ａが設けられた箇所と異なる箇所（第１長尺リブ１２０ａが設けられた箇所よりも下側の箇所）に設けられている。第２長尺リブ１３０ａのＹ−Ｙ’方向の寸法は、フレーム本体１１０ａのＹ−Ｙ’方向の寸法と同じである。第２長尺リブ１３０ａは、Ｘ−Ｘ’方向の断面において略Ｃ字状である。第２長尺リブ１３０ａには、当該第２長尺リブ１３０ａをＹ−Ｙ’方向に貫通する貫通孔１３１ａが設けられている。
【００３２】
第２長尺リブ１３０ａは、リブ１３２ａ（第２リブ）と、リブ１３３ａ（第４リブ）とを有している。リブ１３２ａは、第２長尺リブ１３０ａのＹ方向側の第１端部である。第２長尺リブ１３０ａの貫通孔１３１ａのＹ方向側の端部の内周面にネジ溝が形成されている。この貫通孔１３１ａのＹ方向側の端部がリブ１３２ａのネジ孔１３２ａ１となっている。ネジ孔１３２ａ１もＹ−Ｙ’方向に延びている。リブ１３３ａは、第２長尺リブ１３０ａのＹ’方向側の第２端部である。第２長尺リブ１３０ａの貫通孔１３１ａのＹ’方向側の端部の内周面にネジ溝が形成されている。この貫通孔１３１ａのＹ’方向側の端部がリブ１３３ａのネジ孔１３３ａ１となっている。ネジ孔１３３ａ１もＹ−Ｙ’方向に延びている。
【００３３】
第１鍔部１４０ａは、フレーム本体１１０ａの第３角Ｒ３ａからＸ’方向（第２フレーム１００ｂの後述するフレーム本体１１０ｂ側）に延びた後、Ｚ方向に延びた略Ｌ字状の板である。第１鍔部１４０ａは、Ｙ−Ｙ’方向に延びた長尺状であって、フレーム本体１１０ａと同じＹ−Ｙ’方向の寸法を有している。第１鍔部１４０ａの中央部には、Ｚ方向に凸の図示しない突起が設けられている。
【００３４】
第２鍔部１５０ａは、フレーム本体１１０ａの内側板１１３ａの第１鍔部１４０ａよりもＺ方向側の箇所からＸ’方向（第２フレーム１００ｂのフレーム本体１１０ｂ側）に延びた矩形状の板である。第２鍔部１５０ａは、Ｙ−Ｙ’方向に延びた長尺状であって、フレーム本体１１０ａと同じＹ−Ｙ’方向の寸法を有している。
【００３５】
第２フレーム１００ｂは、上記の通り第１フレーム１００ａの対称形状であるので、第１フレーム１００ａと相違する部分について詳しく説明し、重複する説明は省略する。第２フレーム１００ｂは、フレーム本体１１０ｂと、第１長尺リブ１２０ｂと、第２長尺リブ１３０ｂと、第１鍔部１４０ｂと、第２鍔部１５０ｂとを有している。
【００３６】
フレーム本体１１０ｂは、Ｘ−Ｘ’方向においてフレーム本体１１０ａの対称形状である以外、フレーム本体１１０ａと同じ構成である。フレーム本体１１０ｂの外側板１１２ｂは、Ｙ−Ｙ’方向に延びる円弧状の板であって、Ｚ方向及びＸ方向に湾曲している。フレーム本体１１０ｂの内側板１１３ｂは、Ｙ−Ｙ’方向に延びる円弧状の板であって、Ｚ方向及びＸ方向に湾曲している。なお、図６Ａ及び図６Ｂに示される１１１ｂは、フレーム本体１１０ｂの底板である。Ｒ１ｂはフレーム本体１１０ｂの第１角部である。Ｒ２ｂはフレーム本体１１０ｂの第２角部である。Ｒ３ｂはフレーム本体１１０ｂの第３角部である。
【００３７】
第１長尺リブ１２０ｂは、Ｘ−Ｘ’方向において第１長尺リブ１２０ａの対称形状である以外、第１長尺リブ１２０ａと同じ構成である。図６Ａに示される１２２ｂが第１長尺リブ１２０ｂのリブ（第１リブ）であり、１２２ｂ１がリブ１２２ｂのネジ孔である。図６Ｂに示される１２３ｂが第１長尺リブ１２０ｂのリブ（第３リブ）であり、１２３ｂ１がリブ１２３ｂのネジ孔である。
【００３８】
第２長尺リブ１３０ｂは、Ｘ−Ｘ’方向において第２長尺リブ１３０ａの対称形状である以外、第２長尺リブ１３０ａと同じ構成である。図６Ａに示される１３２ｂが第２長尺リブ１３０ｂのリブ（第２リブ）であり、１３２ｂ１がリブ１３２ｂのネジ孔である。図６Ｂに示される１３３ｂが第２長尺リブ１３０ｂのリブ（第４リブ）であり、１３３ｂ１がリブ１３３ｂのネジ孔である。
【００３９】
第１鍔部１４０ｂは、フレーム本体１１０ｂの第３角Ｒ３ｂからＸ方向（第１フレーム１００ａのフレーム本体１１０ａ側）に延びた後、Ｚ方向に延びた略Ｌ字状の板である。第２鍔部１５０ｂは、フレーム本体１１０ｂの内側板１１３ｂの第１鍔部１４０ｂよりもＺ方向側の箇所からＸ方向（第１フレーム１００ａのフレーム本体１１０ａ側）に延びた矩形状の板である。
【００４０】
第１支持脚２００ａは、図１Ａ〜図５に示されるように下向き略Ｕ字状のパイプである。第１支持脚２００ａは、第１脚部２１０ａと、第２脚部２２０ａと、連結部２３０ａとを有している。
【００４１】
第１脚部２１０ａは、図６Ａに最も良く示されているように第１フレーム１００ａのフレーム本体１１０ａの外側板１１２ａに沿って湾曲した上端部を有するパイプである。第１脚部２１０ａの上端部は、第１フレーム１００ａのリブ１２２ａ及びリブ１３２ａに固定されている。具体的には以下の通りである。第１脚部２１０ａの上端部には、図示しない第１、第２貫通孔が設けられている。第１貫通孔はリブ１２２ａのネジ孔１２２ａ１に連通している。第２貫通孔はリブ１３２ａのネジ孔１３２ａ１に連通している。ネジである第１固定部３００ａが第１脚部２１０ａの第１貫通孔に挿入され、第１フレーム１００ａのリブ１２２ａのネジ孔１２２ａ１にネジ止めされている。ネジである第２固定部３００ｂが第１脚部２１０ａの第２貫通孔に挿入され、第１フレーム１００ａのリブ１３２ａのネジ孔１３２ａ１にネジ止めされている。
【００４２】
第２脚部２２０ａは、フレーム本体１１０ｂの外側板１１２ｂに沿って湾曲した上端部を有するパイプである。第２脚部２２０ａの上端部は、第２フレーム１００ｂのリブ１２２ｂ及びリブ１３２ｂに固定されている。具体的には以下の通りである。第２脚部２２０ａの上端部には、図示しない第１、第２貫通孔が設けられている。第１貫通孔はリブ１２２ｂのネジ孔１２２ｂ１に連通している。第２貫通孔はリブ１３２ｂのネジ孔１３２ｂ１に連通している。ネジである第３固定部３００ｃが第２脚部２２０ａの第１貫通孔に挿入され、第２フレーム１００ｂのリブ１２２ｂのネジ孔１２２ｂ１にネジ止めされている。ネジである第４固定部３００ｄが第２脚部２２０ａの第２貫通孔に挿入され、第２フレーム１００ｂのリブ１３２ｂのネジ孔１３２ｂ１にネジ止めされている。
【００４３】
連結部２３０ａは、第１脚部２１０ａの上端部と第２脚部２２０ａの上端部とを一体的に連結するパイプである。なお、第１、第２脚部２１０ａ、２２０ａは、高さ調整が可能な構成とすることが可能である。例えば、第１、第２脚部２１０ａ、２２０ａは、複数のパイプが同心円状に配置され、伸縮可能な構成とすることが可能である。また、第１、第２脚部２１０ａ、２２０ａは、複数のパイプを当該パイプの長さ方向に取り外し可能に連結させた構成とすることが可能である。パイプを取り外すことによって、第１、第２脚部２１０ａ、２２０ａの高さ調整がなされる。
【００４４】
第２支持脚２００ｂは第１支持脚２００ａと同様の構成であって、第１脚部２１０ｂと、第２脚部２２０ｂと、連結部２３０ｂとを有している。以下、第２支持脚２００ｂが第１支持脚２００ａと相違する点について詳しく説明し、重複する説明は省略する。
【００４５】
第１脚部２１０ｂの上端部は、図６Ｂに最も良く示されているように、第１フレーム１００ａのリブ１２３ａ及びリブ１３３ａに固定されている。具体的には、ネジである第５固定部３００ｅが第１脚部２１０ｂの図示しない第１貫通孔に挿入され、第１フレーム１００ａのリブ１２３ａのネジ孔１２２ａ１にネジ止めされている。ネジである第６固定部３００ｆが第１脚部２１０ｂの図示しない第２貫通孔に挿入され、第１フレーム１００ａのリブ１３３ａのネジ孔１３２ａ１にネジ止めされている。
【００４６】
第２脚部２２０ｂの上端部は、第２フレーム１００ｂのリブ１２３ｂ及びリブ１３３ｂに固定されている。具体的には、ネジである第７固定部３００ｇが第２脚部２２０ｂの図示しない第１貫通孔に挿入され、第２フレーム１００ｂのリブ１２３ｂのネジ孔１２２ｂ１にネジ止めされている。ネジである第８固定部３００ｈが第２脚部２２０ｂの図示しない第２貫通孔に挿入され、第２フレーム１００ｂのリブ１３３ｂのネジ孔１３２ｂ１にネジ止めされている。
【００４７】
火床４００は、図１Ａに示されているように、第１、第２フレーム１００ａ、１００ｂの第１鍔部１４０ａ、１４０ｂにＹ−Ｙ’方向に移動自在に懸架されている。火床４００は、火床本体４１０と、フランジ４２０ａ、４２０ｂとを有している。火床本体４１０は上方に開放された金属製の箱である。火床本体４１０に炭や薪などの加熱燃料が収容可能となっている。
【００４８】
フランジ４２０ａは、火床本体４１０からＸ方向に延びた後、Ｚ’方向に延びた板である。フランジ４２０ａが第１フレーム１００ａの第１鍔部１４０ａにＹ−Ｙ’方向に移動自在に支持されている。フランジ４２０ｂは、火床本体４１０からＸ’方向に延びた後、Ｚ’方向に延びた板である。フランジ４２０ｂが第２フレーム１００ｂの第１鍔部１４０ｂにＹ−Ｙ’方向に移動自在に支持されている。フランジ４２０ａのＹ方向の端部及びフランジ４２０ｂのＹ方向の端部には、図示しない第１ストッパーが各々設けられている。第１ストッパーが第１鍔部１４０ａ、１４０ｂの突起にＹ方向側から当接することによって、火床４００がＹ’方向に所定以上移動しないように規制されている。フランジ４２０ａのＹ’方向の端部及びフランジ４２０ｂのＹ’方向の端部には、図示しない第２ストッパーが各々設けられている。第２ストッパーが第１鍔部１４０ａ、１４０ｂの突起にＹ’方向側から当接することによって、火床４００がＹ方向に所定以上移動しないように規制されている。
【００４９】
焼き網５００は、図１Ａに最も良く示されているように金属製の網である。焼き網５００及び鉄板６００が第１、第２フレーム１００ａ、１００ｂの第２鍔部１５０ａ、１５０ｂに支持されている。
【００５０】
以下、上記した構成のバーベキューグリルＧの組み立て手順について詳しく説明する。まず、アルミ等の金属をＹ−Ｙ’方向に相当する方向に押出成形によって、第１、第２フレーム１００ａ、１００ｂが作成される。その後、第１、第２フレーム１００ａ、１００ｂ及び第１支持脚２００ａを用意する。その後、第１支持脚２００ａの第１脚部２１０ａの上端部を第１フレーム１００ａのリブ１２２ａ、１３２ａに対向配置させる。このとき、第１脚部２１０ａの第１、第２貫通孔をリブ１２２ａ、１３２ａのネジ孔１２２ａ１、１３２ａ１に連通させる。その後、第１固定部３００ａを第１貫通孔に挿入し、ネジ孔１２２ａ１にネジ止めさせる。第２固定部３００ｂを第２貫通孔に挿入し、ネジ孔１３２ａ１にネジ止めさせる。これにより、第１支持脚２００ａの第１脚部２１０ａが第１フレーム１００ａのリブ１２２ａ、１３２ａ（第１、第２長尺リブ１２０ａ、１３０ａの第１端部）にネジ止めされる。このようにして第１支持脚２００ａの第１脚部２１０ａが第１フレーム１００ａのＹ方向側の端に固定される。その後、第１支持脚２００ａの第２脚部２２０ａの上端部を第２フレーム１００ｂのリブ１２２ｂ、１３２ｂに対向配置させる。このとき、第２脚部２２０ａの第１、第２貫通孔をリブ１２２ｂ、１３２ｂのネジ孔１２２ｂ１、１３２ｂ１に連通させる。その後、第３固定部３００ｃを第１貫通孔に挿入し、ネジ孔１２２ｂ１にネジ止めさせる。第４固定部３００ｄを第２貫通孔に挿入し、ネジ孔１３２ｂ１にネジ止めさせる。これにより、第１支持脚２００ａの第２脚部２２０ａが第２フレーム１００ｂのリブ１２２ｂ、１３２ｂ（第１、第２長尺リブ１２０ｂ、１３０ｂの第１端部）にネジ止めされる。このようにして第１支持脚２００ａの第２脚部２２０ａが第２フレーム１００ｂのＹ方向側の端に固定される。
【００５１】
その後、第２支持脚２００ｂを用意する。第２支持脚２００ｂの第１脚部２１０ｂの上端部を第１フレーム１００ａのリブ１２３ａ、１３３ａに対向配置させる。このとき、第１脚部２１０ｂの第１、第２貫通孔をリブ１２３ａ、１３３ａのネジ孔１２３ａ１、１３３ａ１に連通させる。その後、第５固定部３００ｅを第１貫通孔に挿入し、ネジ孔１２３ａ１にネジ止めさせる。第６固定部３００ｆを第２貫通孔に挿入し、ネジ孔１３３ａ１にネジ止めさせる。これにより、第２支持脚２００ｂの第１脚部２１０ｂが第１フレーム１００ａのリブ１２３ａ、１３３ａ（第１、第２長尺リブ１２０ａ、１３０ａの第２端部）にネジ止めされる。このようにして第２支持脚２００ｂの第１脚部２１０ｂが第１フレーム１００ａのＹ’方向側の端に固定される。その後、第２支持脚２００ｂの第２脚部２２０ｂの上端部を第２フレーム１００ｂのリブ１２３ｂ、１３３ｂに対向配置させる。このとき、第２脚部２２０ｂの第１、第２貫通孔をリブ１２３ｂ、１３３ｂのネジ孔１２３ｂ１、１３３ｂ１に連通させる。その後、第７固定部３００ｇを第１貫通孔に挿入し、ネジ孔１２３ｂ１にネジ止めさせる。第８固定部３００ｈを第２貫通孔に挿入し、ネジ孔１３３ｂ１にネジ止めさせる。これにより、第２支持脚２００ｂの第２脚部２２０ｂが第２フレーム１００ｂのリブ１２３ｂ、１３３ｂ（第１、第２長尺リブ１２０ｂ、１３０ｂの第２端部）にネジ止めされる。このようにして第２支持脚２００ｂの第２脚部２２０ｂが第２フレーム１００ｂのＹ’方向側の端に固定される。
【００５２】
その後、火床４００を用意する。火床４００のフランジ４２０ａ、４２０ｂを第１、第２フレーム１００ａ、１００ｂの第１鍔部１４０ａ、１４０ｂ上に載置する。その後、焼き網５００及び鉄板６００を用意する。焼き網５００及び鉄板６００を第１、第２フレーム１００ａ、１００ｂの第２鍔部１５０ａ、１５０ｂ上に載置する。
【００５３】
以上のようなバーベキューグリルＧは、以下の技術的特徴及び効果を有する。第１に、バーベキューグリルＧの部品点数の低減を図ることができる。上記の通り、第１支持脚２００ａの第１、第２脚部２１０ａ、２２０ａが第１、第２フレーム１００ａ、１００ｂのＹ方向側の端に固定され、第２支持脚２００ｂの第１、第２脚部２１０ｂ、２２０ｂが第１、第２フレーム１００ａ、１００ｂのＹ’方向側の端に固定されている。換言すると、第１、第２支持脚２００ａ、２００ｂが、第１、第２フレーム１００ａ、１００ｂのみで連結されているので、バーベキューグリルＧの部品点数の低減を図ることができる。
【００５４】
第２に、第１、第２フレーム１００ａ、１００ｂのみで第１、第２支持脚２００ａ、２００ｂを連結する構成であるにも関わらず、第１、第２フレーム１００ａ、１００ｂに歪みが生じ難い。その理由は以下の通りである。第１、第２フレーム１００ａ、１００ｂのフレーム本体１１０ａ、１１０ｂが筒で構成されている。フレーム本体１１０ａが、当該フレーム本体１１０ａの第１、第２角Ｒ１ａ、Ｒ２ａの内面上に設けられ且つＹ−Ｙ’方向に延びた第１、第２長尺リブ１２０ａ、１３０ａによって補強されている。フレーム本体１１０ｂが、当該フレーム本体１１０ｂの第１、第２角Ｒ１ｂ、Ｒ２ｂの内面上に設けられ且つＹ−Ｙ’方向に延びた第１、第２長尺リブ１２０ｂ、１３０ｂによって補強されている。
【００５５】
第３に、第１、第２フレーム１００ａ、１００ｂの断熱効果を向上させることができる。第１、第２フレーム１００ａ、１００ｂのフレーム本体１１０ａ、１１０ｂが筒で構成されており、フレーム本体１１０ａ、１１０ｂの内部の空気層によって断熱されるからである。
【００５６】
第４に、バーベキューグリルＧの重量の増加を抑制することができる。上記の通り、第１、第２フレーム１００ａ、１００ｂは、筒であるフレーム本体１１０ａの内面上に第１、第２長尺リブ１２０ａ、１３０ａが設けられた構成である。
【００５７】
なお、本発明のバーベキューグリルは、上記実施例に限定されるものではなく、特許請求の範囲の記載範囲において任意に設計変更することが可能である。以下、詳しく述べる。
【００５８】
本発明の第１、第２フレームは第１方向において互いに対向し、且つ上記実施例又は後述する何れかの態様のフレーム本体と、上記実施例又は後述する何れかの態様の第１〜第４リブとを有している限り任意に設計変更することが可能である。
【００５９】
本発明の第１、第２フレームのフレーム本体は、第１方向に交差する第２方向に延びた筒である限り任意に設計変更することが可能である。例えば、フレーム本体は、円筒又は多角形状の筒とすることが可能である。本発明の第１、第２フレームのフレーム本体は、アルミ以外の金属（例えば、スチールやステンレス）又はカーボン等の耐熱性を有する材料で構成することが可能である。
【００６０】
本発明の第１、第２フレームの第１リブは、上記した何れかの態様のフレーム本体の第２方向の第１端部の内面又は外面上に設けられている限り任意に設計変更することが可能である。本発明の第１、第２フレームの第２リブは、上記した何れかの態様のフレーム本体の第２方向の第１端部の内面又は外面上に設けられている限り任意に設計変更することが可能である。本発明の第１、第２フレームの第３リブは、上記した何れかの態様のフレーム本体の第１端部の反対側の第２端部の内面又は外面上に設けられている限り任意に設計変更することが可能である。本発明の第１、第２フレームの第４リブは、上記した何れかの態様のフレーム本体の第１端部の反対側の第２端部の内面又は外面上に設けられている限り任意に設計変更することが可能である。
【００６１】
例えば、本発明の第１、第２フレームの第１、第２長尺リブが省略される場合、本発明の第１、第２フレームの第１リブは、上記した何れかの態様のフレーム本体の第１角の第２方向の第１端部の内面又は外面上に設けられた構成とすることが可能である。本発明の第１、第２フレームの第２リブは、上記した何れかの態様のフレーム本体の第２角の第２方向の第１端部の内面又は外面上に設けられた構成とすることが可能である。本発明の第１、第２フレームの第３リブは、上記した何れかの態様のフレーム本体の第１角の第２方向の第２端部の内面又は外面上に設けられた構成とすることが可能である。本発明の第１、第２フレームの第４リブは、上記した何れかの態様のフレーム本体の第２角の第２方向の第２端部の内面又は外面上に設けられた構成とすることが可能である。本発明の第１、第２フレームの第１、第２リブの少なくとも一方は、上記した何れかの態様のフレーム本体の第１、第２角以外の部分の内面又は外面上の異なる箇所に設けられた構成とすることが可能である。本発明の第１、第２フレームの第３、第４リブの少なくとも一方は、上記した何れかの態様のフレーム本体の第１、第２角以外の部分の内面又は外面上の異なる箇所に設けられた構成とすることが可能である。
【００６２】
本発明の第１、第２フレームの第１、第２長尺リブは、上記した何れかの態様のフレーム本体の内面又は外面上に設けられており且つ当該内面又は外面の前記第２方向の一端から他端にかけて前記第２方向に延びていると良い。第１長尺リブは、上記した何れかの態様のフレーム本体の第１角の内面又は外面上に設けられても良い。第２長尺リブは、上記した何れかの態様のフレーム本体の第２角の内面又は外面上に設けられていても良い。上記した何れかの態様の第１長尺リブの第２方向の第１端部が第１リブに相当し、当該第１長尺リブの第１端部の反対側の第２端部が第３リブに相当すると良い。上記した何れかの態様の第２長尺リブの第２方向の第１端部が第２リブに相当し、当該第２長尺リブの第１端部の反対側の第２端部が第４リブに相当すると良い。本発明の第１、第２フレームの第１、第２長尺リブの少なくとも一方は、上記した何れかの態様のフレーム本体の第１、第２角以外の部分の内面又は外面上に設けられた構成とすることが可能である。本発明の第１、第２長尺リブは、第１方向の断面において略Ｏ字状（すなわち、筒状）とすることが可能である。また、第１、第２長尺リブには、貫通孔が設けられていない構成とすることが可能である。この場合、第１長尺リブの第１、第３リブ、及び第２長尺リブの第２、第４リブにのみ、ネジ孔又は係合孔が設けられた構成とすることが可能である。なお、上記した何れかの態様の第１、第２長尺リブは一体化することが可能である。
【００６３】
本発明の第１、第２フレームは、第１、第２長尺リブの代りに、第３、第４長尺リブを有する構成とすることが可能である。第３長尺リブは、第１、第２フレームのフレーム本体の第１端部の内面又は外面上に設けられており且つ当該フレーム本体の周方向に延びていると良い。第４長尺リブは、第１、第２フレームのフレーム本体の第２端部の内面又は外面上に設けられており且つ当該フレーム本体の周方向に延びていると良い。第１リブは第３長尺リブの長さ方向の第１端部である。第２リブは第３長尺リブの第１端部の反対側の第２端部である。第３リブは第４長尺リブの長さ方向の第１端部である。第４リブは第４長尺リブの第１端部の反対側の第２端部である。
【００６４】
この一例が図７Ａ及び図７Ｂに示されている。図７Ａ中の１６１ａが第１フレーム１００ａ’のフレーム本体１１０ａの第１端部の内面上に設けられた第３長尺リブであり、１６１ｂが第２フレーム１００ｂ’のフレーム本体１１０ｂの第１端部の内面上に設けられた第３長尺リブである。第１リブ１２２ａ’は第３長尺リブ１６１ａの長さ方向の第１端部である。第２リブ１３２ａ’は第３長尺リブ１６１ａの第１端部の反対側の第２端部である。１２２ａ１’は第１リブ１２２ａ’のネジ孔であり、１３２ａ１’は第２リブ１３２ａ’のネジ孔である。第１リブ１２２ｂ’は第３長尺リブ１６１ｂの長さ方向の第１端部である。第２リブ１３２ｂ’は第３長尺リブ１６１ｂの第１端部の反対側の第２端部である。１２２ｂ１’は第１リブ１２２ｂ’のネジ孔であり、１３２ｂ１’は第２リブ１３２ｂ’のネジ孔である。図７Ｂ中の１６２ａが第１フレーム１００ａ’のフレーム本体１１０ａの第２端部の内面上に設けられた第４長尺リブであり、１６２ｂが第２フレーム１００ｂ’のフレーム本体１１０ｂの第２端部の内面上に設けられた第４長尺リブである。第３リブ１２３ａ’は第４長尺リブ１６２ａの長さ方向の第１端部である。第４リブ１３３ａ’は第４長尺リブ１６２ａの第１端部の反対側の第２端部である。１２３ａ１’は第３リブ１２３ａ’のネジ孔であり、１３３ａ１’は第４リブ１３３ａ’のネジ孔である。第３リブ１２３ｂ’は第４長尺リブ１６２ｂの長さ方向の第１端部である。第４リブ１３３ｂ’は第４長尺リブ１６２ｂの第１端部の反対側の第２端部である。１２３ｂ１’は第３リブ１２３ｂ’のネジ孔であり、１３３ｂ１’は第４リブ１３３ｂ’のネジ孔である。
【００６５】
なお、上記した何れかの態様の第１リブは、フレーム本体の内面及び外面の何れか一方上に設けられ、上記した何れかの態様の第２リブがフレーム本体の内面及び外面の他方上に設けられた構成とすることが可能である。上記した何れかの態様の第３リブは、フレーム本体の内面及び外面の何れか一方上に設けられ、上記した何れかの態様の第４リブがフレーム本体の内面及び外面の他方上に設けられた構成とすることが可能である。上記第１〜第４リブは、フレーム本体に溶接などで固定されていても良い。上記第３、第４長尺リブも、フレーム本体に溶接などで固定されていても良い。
【００６６】
本発明の第１支持脚は、上記した何れかの態様の第１フレームの第１リブ及び第２リブに固定された第１脚部と、上記した何れかの態様の第２フレームの第１リブ及び第２リブに固定された第２脚部と、第１支持脚の第１脚部と第２脚部とを連結する連結部とを有している限り任意に設計変更することが可能である。例えば、第１支持脚の第１脚部が上記した何れかの態様の第１フレームの第１リブ、第２リブにピン止めされる構成とすることが可能である。具体的には、ピンである第１、第２固定部が第１支持脚の第１脚部を貫通して第１フレームの第１、第２リブの係合孔に係合される構成とすることが可能である。同様に、第１支持脚の第２脚部が上記した何れかの態様の第２フレームの第１、第２リブにピン止めされる構成とすることが可能である。具体的には、ピンである第３、第４固定部が第１支持脚の第２脚部を貫通して第２フレームの第１、第２リブの係合孔に係合される構成とすることが可能である。なお、上記した何れかの態様の第１支持脚の第１脚部は、第１、第２リブに加えて、第１フレームの第１端部の内面又は外面上に設けられた一又は複数のリブに固定されていても良い。上記した何れかの態様の第１支持脚の第２脚部は、第１、第２リブに加えて、第２フレームの第１端部の内面又は外面上に設けられた一又は複数のリブに固定されていても良い。
【００６７】
本発明の第１支持脚の連結部は、上記した何れかの態様の第１支持脚の第１脚部と第２脚部とを連結するものであれば良い。例えば、連結部は、第１支持脚の第１脚部と第２脚部とを連結する第１、第２脚部と別体のパイプや板等であっても良い。
【００６８】
本発明の第２支持脚は、上記した何れかの態様の第１フレームの第３リブ及び第４リブに固定された第１脚部と、上記した何れかの態様の第２フレームの第３リブ及び第４リブに固定された第２脚部と、第２支持脚の第１脚部と第２脚部とを連結する連結部とを有している限り任意に設計変更することが可能である。例えば、第２支持脚の第１脚部が上記した何れかの態様の第１フレームの第３、第４リブにピン止めされる構成とすることが可能である。具体的には、ピンである第５、第６固定部が第２支持脚の第１脚部を貫通して第１フレームの第３、第４リブの係合孔に係合される構成とすることが可能である。同様に、第２支持脚の第２脚部が上記した何れかの態様の第２フレームの第３、第４リブにピン止めされる構成とすることが可能である。具体的には、ピンである第７、第８固定部が第２支持脚の第２脚部を貫通して第２フレームの第３、第４リブの係合孔に係合される構成とすることが可能である。なお、上記した何れかの態様の第２支持脚の第１脚部は、第３、第４リブに加えて、第１フレームの第２端部の内面又は外面上に設けられた一又は複数のリブに固定されていても良い。上記した何れかの態様の第２支持脚の第２脚部は、第３、第４リブに加えて、第２フレームの第２端部の内面又は外面上に設けられた一又は複数のリブに固定されていても良い。
【００６９】
本発明の第２支持脚の連結部は、上記した何れかの態様の第２支持脚の第１脚部と第２脚部とを連結するものであれば良い。例えば、連結部は、第２支持脚の第１脚部と第２脚部とを連結する第１、第２脚部と別体のパイプや板等であっても良い。
【００７０】
本発明の第１固定部は、上記した何れかの態様の第１支持脚の第１脚部を上記した何れかの態様の第１フレームの第１リブに固定し得る限り任意に設計変更することが可能である。本発明の第２固定部は、上記した何れかの態様の第１支持脚の第１脚部を上記した何れかの態様の第１フレームの第２リブに固定し得る限り任意に設計変更することが可能である。上記した何れかの態様の第１、第２固定部は、第１脚部に一体化させることが可能である。
【００７１】
本発明の第３固定部は、上記した何れかの態様の第１支持脚の第２脚部を上記した何れかの態様の第２フレームの第１リブに固定し得る限り任意に設計変更することが可能である。本発明の第４固定部は、上記した何れかの態様の第１支持脚の第２脚部を上記した何れかの態様の第２フレームの第２リブに固定し得る限り任意に設計変更することが可能である。上記した何れかの態様の第３、第４固定部は、第２脚部に一体化させることが可能である。
【００７２】
本発明の第５固定部は、上記した何れかの態様の第２支持脚の第１脚部を上記した何れかの態様の第１フレームの第３リブに固定し得る限り任意に設計変更することが可能である。本発明の第６固定部は、上記した何れかの態様の第２支持脚の第１脚部を上記した何れかの態様の第１フレームの第４リブに固定し得る限り任意に設計変更することが可能である。上記した何れかの態様の第５、第６固定部は、第１脚部に一体化させることが可能である。
【００７３】
本発明の第７固定部は、上記した何れかの態様の第２支持脚の第２脚部を上記した何れかの態様の第２フレームの第３リブに固定し得る限り任意に設計変更することが可能である。本発明の第８固定部は、上記した何れかの態様の第２支持脚の第２脚部を上記した何れかの態様の第２フレームの第４リブに固定し得る限り任意に設計変更することが可能である。上記した何れかの態様の第７、第８固定部は、第２脚部に一体化させることが可能である。
【００７４】
本発明の火床は、上記した何れかの態様の第１、第２フレーム及び第１、第２支持脚の少なくとも一方に支持される構成である限り任意に設計変更することが可能である。例えば、火床は、上記した第１、第２支持脚の連結部に係合可能なフックを有する構成とすることが可能である。この場合、第１、第２フレームの第１鍔部は省略可能である。なお、第１、第２フレームの第１鍔部は、火床が懸架され得るものである限り任意に設計変更することが可能である。
【００７５】
本発明のバーベキューグリルは、上記した何れかの態様の第１、第２フレーム及び第１、第２支持脚の少なくとも一方に支持される焼き網及び鉄板の少なくとも一方を備えた構成とすることが可能である。焼き網及び／又は鉄板が第１、第２支持脚に支持される場合、第１、第２フレームの第２鍔部は省略可能である。
【００７６】
なお、上記実施例及び設計変形例におけるバーベキューグリルの各構成要素を構成する素材、形状、寸法、数及び配置等はその一例を説明したものであって、同様の機能を実現し得る限り任意に設計変更することが可能である。上記した実施例及び設計変更例は、互いに矛盾しない限り、相互に組み合わせることが可能である。上記した何れかの態様の第１、第２支持脚は、上記した何れかの態様の第１、第２フレームのみで連結されるものに限定されない。すなわち、本発明は、第１、第２支持脚が、第１、第２フレームに加えて、別の部材で連結されるバーベキューグリルに対しても適応可能である。本発明の第１方向は、第１、第２フレームが対向する方向である限り任意に設定することが可能である。本発明の第２方向は、第１、第２フレームの長手方向であり且つ第１方向に交差する方向である限り任意に設定可能である。
【符号の説明】
【００７７】
Ｇ・・・・・・・・バーベキューグリル
１００ａ・・・・第１フレーム
１１０ａ・・・フレーム本体
１１１ａ・・底板
１１２ａ・・外側板
１１３ａ・・内側板
Ｒ１ａ・・・第１角
Ｒ２ａ・・・第２角
Ｒ３ａ・・・第３角
１２０ａ・・・第１長尺リブ
１２１ａ・・貫通孔
１２２ａ・・リブ（第１リブ）
１２２ａ１・ネジ孔
１２３ａ・・リブ（第３リブ）
１２３ａ１・ネジ孔
１３０ａ・・・第２長尺リブ
１３１ａ・・貫通孔
１３２ａ・・リブ（第２リブ）
１３２ａ１・ネジ孔
１３３ａ・・リブ（第４リブ）
１３３ａ１・ネジ孔
１００ｂ・・・・第２フレーム
１１０ｂ・・・フレーム本体
１１１ｂ・・底板
１１２ｂ・・外側板
１１３ｂ・・内側板
Ｒ１ｂ・・・第１角
Ｒ２ｂ・・・第２角
Ｒ３ｂ・・・第３角
１２０ｂ・・・第１長尺リブ
１２１ｂ・・貫通孔
１２２ｂ・・リブ（第１リブ）
１２２ｂ１・ネジ孔
１２３ｂ・・リブ（第３リブ）
１２３ｂ１・ネジ孔
１３０ｂ・・・第２長尺リブ
１３１ｂ・・貫通孔
１３２ｂ・・リブ（第２リブ）
１３２ｂ１・ネジ孔
１３３ｂ・・リブ（第４リブ）
１３３ｂ１・ネジ孔
１４０ａ・・・第１鍔部
１４０ｂ・・・第１鍔部
１５０ａ・・・第２鍔部
１５０ｂ・・・第２鍔部
２００ａ・・・・第１支持脚
２１０ａ・・・第１脚部
２２０ａ・・・第２脚部
２３０ａ・・・連結部
２００ｂ・・・・第２支持脚
２１０ｂ・・・第１脚部
２２０ｂ・・・第２脚部
２３０ｂ・・・連結部
３００ａ〜３００ｈ・第１〜第８固定部
４００・・・・・火床
４１０・・・・火床本体
４２０ａ・・・フランジ
４２０ｂ・・・フランジ
５００・・・・・焼き網
【図１Ａ】
2016049181.tif 000003
【図１Ｂ】
2016049181.tif 000004
【図２】
2016049181.tif 000005
【図３】
2016049181.tif 000006
【図４】
2016049181.tif 000007
【図５】
2016049181.tif 000008
【図６Ａ】
2016049181.tif 000009
【図６Ｂ】
2016049181.tif 000010
【図７Ａ】
2016049181.tif 000011
【図７Ｂ】
2016049181.tif 000012